(57)【要約】      （修正有）【課題】処方された薬を薬局から介護施設や医療施設等へ、その施設内の患者本人が毎日飲むための薬及びその患者にとって特別に使用される薬を定期的に供給し、各患者の飲み忘れを防止できるようにした薬ストックケースを提供する。【解決手段】本薬ストックケースは、上面開放型の外ケースと、該外ケースに嵌入された内枠とからなり、該内枠には縦方向に区画する複数の縦隔板と横方向に区画する複数の横隔板とを組合せて毎日飲む薬のための薬室を設け、前記外ケースの後壁とこれに対面する横隔板との間に特別に使用する薬のための薬室を設け、薬を整理をし易くし、さらに、内枠の前縁及び側縁から細幅リブを水平張出し状に設け、その前縁リブに毎日飲む薬の薬室に対応して、朝、昼、夜、寝る前を表示し、側縁リブに毎日飲む薬の薬室に対応して、月、火、水、木、金、土、日を表示して飲み忘れを確実に防止できるようにした。【選択図】図１
0003154186.tif 000002
【実用新案登録請求の範囲】
【請求項１】
上面開放型の外ケースと、該外ケースに嵌入された内枠とからなり、該内枠には縦方向に区画する複数の縦隔板と横方向に区画する複数の横隔板とを組合せて毎日飲む薬のための薬室を設け、前記外ケースの後壁とこれに対面する横隔板との間に特別に使用する薬のための薬室を設けたことを特徴とする薬ストックケース。
【請求項２】
上面開放型の外ケースと、該外ケースに嵌入され、前縁及び側縁から細幅リブを水平張出し状に設けた内枠とからなり、該内枠には縦方向に区画する３つの縦隔板と横方向に区画する７つの横隔板とを組合せて毎日飲む薬のための薬室を設け、前記外ケースの後壁とこれに対面する横隔板との間に特別に使用する薬のための薬室を設け、前記内枠の前縁リブに毎日飲む薬の薬室に対応して、朝、昼、夜、寝る前の４つを表示し、前記内枠の側縁リブに毎日飲む薬の薬室に対応して、月、火、水、木、金、土、日の７つを表示し、かつ前記外ケースの後壁上部に毎日飲む薬の薬室に対応して、臨時、点眼、軟膏、頓服を表示したことを特徴とする薬ストックケース。
【請求項３】
上面開放型の外ケースと、該外ケースに嵌入され、前縁及び側縁から細幅リブを水平張出し状に設けた内枠とからなり、該内枠には縦方向に区画する３つの縦隔板と横方向に区画する７つの横隔板とを組合せて毎日飲む薬のための薬室を設け、前記外ケースの後壁とこれに対面する横隔板との間に特別に使用する薬のための薬室を設け、前記内枠の前縁リブに毎日飲む薬の薬室に対応して、朝、昼、夜、寝る前の４つを表示し、前記内枠の側縁リブに毎日飲む薬の薬室に対応して、月、火、水、木、金、土、日の７つを表示し、かつ前記外ケースの後壁上部又は内枠の後壁上部に毎日飲む薬の薬室に対応して、臨時、点眼軟膏、頓服を表示し、さらに、前記外ケースと内枠及び各隔板が、透明又は半透明のプラスチック素材により形成したことを特徴とする薬ストックケース。
【請求項４】
上面開放型の外ケースと、該外ケースに嵌入され、前縁及び側縁から細幅リブを水平張出し状に設けた内枠とからなり、該内枠には縦方向に区画する３つの縦隔板と横方向に区画する７つの横隔板とを組合せて毎日飲む薬のための薬室を設け、前記外ケースの後壁とこれに対面する横隔板との間に特別に使用する薬のための薬室を設け、前記内枠の前縁リブに毎日飲む薬の薬室に対応して、朝、昼、夜、寝る前の４つを表示し、前記内枠の側縁リブに毎日飲む薬の薬室に対応して、月、火、水、木、金、土、日の７つを表示し、かつ前記外ケースの後壁上部に毎日飲む薬の薬室に対応して、臨時、点眼、軟膏、頓服を表示し、さらに、前記外ケースの前壁に把手部を設け、１つの収納部を有する積み重ね可能な箱体、あるいは多段状に複数の収納部を有する箱体に引出し式に収納したことを特徴とする薬ストックケース。
【考案の詳細な説明】
【技術分野】
【０００１】
本考案は、処方された薬を薬局から介護施設や医療施設等へ、その施設内の患者本人が毎日飲むための薬及びその患者にとって特別に使用される薬（飲み薬に限らない）を定期的に供給し、施設内においてストックし易くするとともに、各患者の飲み忘れを防止できるようにした薬ストックケースに関するものである。
【背景技術】
【０００２】
一般に、介護施設や医療施設等の施設内では、患者ごとに薬の飲み忘れを防ぐ構造のものが多い。たとえば、特開２００５−２９６３７４号のものは、外容器と仕切具からなる収容スペースと、各収容スペースに患者識別具がある構造のものである。また、特開２００２−９５７２２号のものは、患者ごとに薬箱を用意し、外容器内に飲む曜日と時間帯などに小わけしているものである。更に、特開２００２−３６０６６２号のものは、小わけした容器を引出し式にし、今から飲む薬の入った引出しと、飲み終わて空になった引出しとを適時入れ換えできるようにしているものである。
【特許文献１】特開２００５−２９６３７４号
【特許文献２】特開２００２−９５７２２号
【特許文献３】特開２００２−３６０６６２号
【考案の開示】
【考案が解決しようとする課題】
【０００３】
しかしながら、特開２００５−２９６３７４号は、仕切具からなる収容スペースは飲む曜日と時間帯とを識別するのみであり、患者本人が毎日飲む必要のある薬及びその患者にとって特別に必要な薬（飲み薬に限らない）を区別して収容するようにはなっていない。また、特開２００２−９５７２２号は形状が複雑化し管理上充分でなく使い難い。したがって、患者の飲み忘れを確実に防止できるようにはなっていない。更に、特開２００２−３６０６６２号は、今から飲む薬の入った引出しと飲み終わて空になった引出しとを適時入れ換える面倒があったばかりでなく、全体が嵩張るという欠点があった。
【０００４】
本考案は、上記問題を解消するためのもので、その目的とするところは、形状が複雑化せず、患者本人が毎日飲む必要のある薬及びその患者にとって特別に必要な薬を区別して収容でき、管理上スッキリし、しかも飲み忘れを確実に防止できる薬ストックケースを提供することにある。
【課題を解決するための手段】
【０００５】
上記の目的を達成するため、本考案に係る薬ストックケースは、上面開放型の外ケースと、該外ケースに嵌入された内枠とからなり、該内枠には縦方向に区画する複数の縦隔板と横方向に区画する複数の横隔板とを組合せて毎日飲む薬のための薬室を設け、前記外ケースの後壁とこれに対面する横隔板との間に特別に使用する薬のための薬室を設けたことを特徴とし、毎日飲む必要のある薬及びその患者にとって特別に必要な薬を区別し、整理をし易くするように構成した。
【０００６】
また、請求項２に記載の考案に係る薬ストックケースは、上面開放型の外ケースと、該外ケースに嵌入され、前縁及び側縁から細幅リブを水平張出し状に設けた内枠とからなり該内枠には縦方向に区画する３つの縦隔板と横方向に区画する７つの横隔板とを組合せて毎日飲む薬のための薬室を設け、前記外ケースの後壁とこれに対面する横隔板との間に特別に使用する薬のための薬室を設け、前記内枠の前縁リブに毎日飲む薬の薬室に対応して朝、昼、夜、寝る前の４つを表示し、前記内枠の側縁リブに毎日飲む薬の薬室に対応して月、火、水、木、金、土、日の７つを表示し、かつ前記外ケースの後壁上部に毎日飲む薬の薬室に対応して、臨時、点眼、軟膏、頓服を表示したことを特徴とし、毎日飲む薬を、月、火、水、木、金、土、日ごとに、朝、昼、夜、寝る前に分けるとともに、特別に使う薬を、臨時、点眼、軟膏、頓服の４種が整理収納できるように構成した。
【０００７】
更に、請求項３に記載の考案に係る薬ストックケースは、上面開放型の外ケースと、該外ケースに嵌入され、前縁及び側縁から細幅リブを水平張出し状に設けた内枠とからなり該内枠には縦方向に区画する３つの縦隔板と横方向に区画する７つの横隔板とを組合せて毎日飲む薬のための薬室を設け、前記外ケースの後壁とこれに対面する横隔板との間に特別に使用する薬のための薬室を設け、前記内枠の前縁リブに毎日飲む薬の薬室に対応して朝、昼、夜、寝る前の４つを表示し、前記内枠の側縁リブに毎日飲む薬の薬室に対応して月、火、水、木、金、土、日の７つを表示し、かつ前記外ケースの後壁上部又は内枠の後壁上部に、毎日飲む薬の薬室に対応して、臨時、点眼、軟膏、頓服を表示し、さらに、前記外ケースと内枠及び各隔板が、透明又は半透明のプラスチック素材により形成したことを特徴とし、毎日飲む薬と、特別に使う薬の収納状態及び非収納状態が一目瞭然に認知できるように構成した。
【０００８】
さらにまた、請求項４に記載の考案に係る薬ストックケースは、上面開放型の外ケースと、該外ケースに嵌入され、前縁及び側縁から細幅リブを水平張出し状に設けた内枠とからなり、該内枠には縦方向に区画する３つの縦隔板と横方向に区画する７つの横隔板とを組合せて毎日飲む薬のための薬室を設け、前記外ケースの後壁とこれに対面する横隔板との間に特別に使用する薬のための薬室を設け、前記内枠の前縁リブに毎日飲む薬の薬室に対応して、朝、昼、夜、寝る前の４つを表示し、前記内枠の側縁リブに毎日飲む薬の薬室に対応して、月、火、水、木、金、土、日の７つを表示し、かつ前記外ケースの後壁上部に毎日飲む薬の薬室に対応して、臨時、点眼、軟膏、頓服を表示し、さらに、前記外ケースの前壁に把手部を設け、１つの収納部を有する積み重ね可能な箱体、あるいは多段状に複数の収納部を有する箱体に引出し式に収納したことを特徴とし、薬局で薬ストックケースに薬を収納して施設等にある箱体に引出し式に納め、飲み終わって空になった薬ストックケースは施設等の箱体から引出し式に取出して薬局に持ち帰ることができる、いわゆる施設と薬局との間の「通箱」として活用できるように構成した。
【考案の効果】
【０００９】
本考案によれば、毎日飲む薬と特別に使用する薬との整理を容易にした。また、毎日飲む薬を月、火、水、木、金、土、日ごとに朝、昼、夜、寝る前に区分け出来るようにするとともに特別に使用する薬を臨時、点眼、軟膏、頓服の４種として一層整理収納ができ易くなるようにした。更に、前記外ケースと内枠及び各隔板を透明又は半透明のプラスチック素材により形成するときは、毎日飲む薬と、特別に使う薬の収納状態及び非収納状態が一目瞭然に分かるようになる。しかも、薬局側で薬を入れて施設側に届け、空になった薬ケースを施設から薬局に持ち帰る方式の、いわゆる薬の通箱としても活用もできるなど各種の優れた効果を奏するものである。
【考案を実施するための最良の形態】
【００１０】
次に、本考案の実施するための最良の形態を図面に基づいて説明する。図１は本願薬ケースの外観斜視図、図２は縦断側面図、図３は本願薬ケースの平面図、図４は本願薬ケースを引出し式に収納した単箱体の一部断面図、図５は本願薬ケースを引出し式に収納する多段式の棚箱体の側面図である。
【００１１】
図において、１は本願薬ケースで、該本願薬ケース１は上面開放型の外ケース２と、該外ケース２に嵌入された内枠３とからなる。該内枠３は周枠３ａの前縁及び側縁から細幅リブ３ｂ、３ｃが水平張出し状に設けられているとともに、縦方向に区画する三つの縦隔板４ａ、４ｂ、４ｃと、横方向に区画する七つの横隔板５ａ、５ｂ、５ｃ、５ｄ、５ｅ、５ｆ、５ｇとを組合せして毎日飲む薬のための薬室６を設け、さらに前記外ケース２の後壁とこれに対面する横隔板５ｇとの間に特別に使用する薬のための薬室７を設けている。この薬室６は、１週間の曜日（月〜日）の各日における「朝」、「昼」、「夜」及び「寝る前」の毎日飲む薬を整理してストックし易くし、また、薬室７にはその患者に特に処方された薬（飲み薬には限らない）を整理してストックし易くしている。
【００１２】
前記内枠３は、外ケース２内に嵌入されて使用されるため、縦隔板４ａ〜４ｃと横隔板５ａ〜５ｇのみでも良いが、周枠３ａを有底にして独立した内ケースになっていても良いことは勿論である。
【００１３】
前記毎日飲む薬のための薬室６は、前記内枠３の前縁リブ３ｃに貼った「あさ」、「ひる」、「よる」及び「寝る前」の文字が表示（印刷）されたシール８と、前記内枠３の側縁リブ３ｂに貼った「月」、「火」、「水」、「木」、「金」、「土」、「日」の文字が表示されたシール９とにより各薬室６が特定される。例えば、月曜日の朝の薬室６にはＡ錠剤２錠／Ｂ錠剤１錠／Ｃ錠剤１錠／Ｄ錠剤１錠／Ｅ錠剤１錠の如く入れられ、月曜日の昼の薬室６にはＤ錠剤１錠／Ｅ錠剤１錠の如く入れられ、月曜日の夜の薬室６にはＣ錠剤１錠／Ｄ錠剤１錠／Ｅ錠剤１錠及び月曜日の寝る前の薬室６にはＦ錠剤１錠の如く入れられるのである。なお、火曜日〜日曜日の朝、昼、夜及び寝る前は、上記した月曜日と共通であることが多い。
【００１４】
前記特別に使用する薬のための薬室７は、前記外ース２の後壁上部又は内枠３の後壁上部に、シールを介しあるいは直に「臨時」、「点眼」、「軟膏」および「頓服」が毎日飲む薬の薬室６に対応して表示されている。臨時室には腹痛止薬、点眼室には目薬点滴器、軟膏室には痒み止め軟膏入りチューブ、頓服室には気分を和らげる睡眠薬などが整理収納できるようになっている。
【００１５】
前記外ケース２と内枠（内ケース）３及び各隔板（縦隔板４ａ〜４ｃおよび横隔板５ａ〜５ｇ）は、透明又は半透明のプラスチック素材、例えば、ポリエステル樹脂、ポリプロピレン樹脂あるいはアクリル樹脂などにより形成されている。これは毎日飲む薬のための薬室６内に収容した薬（図示せず）や、特別に使用する薬のための薬室７内に収容した薬（図示せず）の収納状態や非収納状態が一目瞭然に分かるようにしている。
【００１６】
前記外ケース２にはその前壁には把手部１０が凹状に設けられている。該把手部１０は本願ケース１を箱体１１に引き出し式に収納したり、取り出したりするときの手掛かりとなる。該箱体１１は図４に示す如く、１つの収納部１１′を有する単箱体でも、図５に示す如く、多段状の収納部１１″を有する棚箱体であってもよい。前記単箱体は積み重ね可能にするために、例えば、上面に凸部１２を設け、下面に嵌入凹部１３を設ける。また、前記棚箱体の底部には移動し易くするためにキャスター１４が設けられている。この棚箱体は本願ケース１が縦単列でも縦複列でもよいことは勿論である。
【００１７】
本願薬ケース１は、上述の如く、引出し式にしておくと、薬局（薬の納入業者）において、本願薬ケース１の各薬室６又は７に薬を詰めて施設等に納入すると、納入された施設等にて、その納入に係る本願薬ケース１を前記単箱体ないし棚箱体からなる箱体１１に引出し式に納めて保管する。そして、施設等において、１週間が過ぎ、各薬室６に入っていた総ての薬のが飲み終わった後、「空」になった本願薬ケース１を箱体１１から引出し式に取出し、前記薬局に持ち帰り改めて必要な薬が詰められて再び施設等に納入する如く、いわゆる薬局と施設等との間における「通箱」として活用できるようになる。
【００１８】
前記本願薬ケース１の毎日飲む薬のための薬室６には、処方された必要な薬を直に詰めても良いが、各薬室６より若干背の高い紙袋（プラスチック袋でも良い）１５に入れて袋ごと投入するようにしても良い。すなわち、薬局側における薬の袋詰め及び薬室６への投入作業がし易くなると同時に、施設側において看護師が必要な薬を手早く取出せる点で有効である。この場合、各紙袋１５に患者本人の「名前」を表示（印刷）しておくと患者本人がより特定し易くなるし、施設側において看護師が患者名を取り違えることも有効に防止できる。
【産業上の利用可能性】
【００１９】
本願薬ケースは、処方された薬を薬局から介護施設や医療施設等へ、その施設内の患者本人が毎日飲むための薬を定期的（例：１週間ごと）に供給し、施設内においてストックし易くするとともに、各患者の飲み忘れを有効に防止したもので、介護施設や医療施設等およびこれらに処方に基づいて薬を納入している薬局においてその利用可能性が極めて大きいものである。
【図面の簡単な説明】
【００２０】
【図１】本願薬ケースの外観斜視図である。
【図２】縦断側面図である。
【図３】本願薬ケースの平面図である。
【図４】本願薬ケースを引出し式に収納した単箱体の一部断面図である。
【図５】本願薬ケースを引出し式に収納する多段式の棚箱体の側面図である。
【符号の説明】
【００２１】
１  本願薬ケース
２  外ケース
３  内枠
３ａ  周枠
３ｂ  側縁リブ
３ｃ  前縁リブ
４ａ〜４ｃ  縦隔板
５ａ〜５ｇ  横隔板
６  毎日飲む薬のための薬室
７  特別に使う薬のための薬室
８  あさ、ひる、よる、寝る前の文字が表示されたシール
９  月、火、水、木、金、土、日の文字が表示されたシール
１０  把手部
１１  箱体（単箱体および棚箱体）
１１′  収納部
１１″  多段状の収納部
１２  凸部
１３  嵌入凹部
１４  キャスター
１５  紙袋（プラスチック袋でも良い）
【図１】
0003154186.tif 000003
【図２】
0003154186.tif 000004
【図３】
0003154186.tif 000005
【図４】
0003154186.tif 000006
【図５】
0003154186.tif 000007